(57)【要約】【課題】  簡単な構成でもって指向性を制御する。【解決手段】  放射電極３を設けた誘電体基体２が矩形状の基板４に配設されているアンテナ構造１であって、放射電極３は縮退分離する形態を備えて円偏波の電波の無線通信を行うものであり、矩形状の基板４の何れの一辺の長さも、予め定められた無線通信用の周波数帯の電波の１波長以下である構成を備えている。矩形状の基板４には、指向性制御用のスリット１０を避けた基板４のほぼ全面にグランド電極５を形成する。指向性制御用のスリット１０は、基板４の互いに対向する一組のそれぞれの辺５Ａ，５Ｂ側から誘電体基体２の配設領域に向けて伸長形成されているスリットである。【選択図】        図１
2006148688.tif 000002
【特許請求の範囲】
【請求項１】
放射電極を設けた誘電体基体が矩形状の基板に配設されているアンテナ構造であって、放射電極は縮退分離する形態を備えて円偏波の電波の無線通信を行うものであり、矩形状の基板の何れの一辺の長さも、予め定められた無線通信用の周波数帯の電波の１波長以下である構成を備えており、矩形状の基板には、指向性制御用のスリットを避けた基板のほぼ全面にグランド電極が形成されており、指向性制御用のスリットは、基板の互いに対向する一組のそれぞれの辺側から誘電体基体の配設領域に向けて伸長形成されているスリットと成していることを特徴とするアンテナ構造。
【請求項２】
グランド電極には、基板の互いに対向する第１の組の各辺側からそれぞれ１以上の指向性制御用のスリットが誘電体基体の配設領域に向けて伸長形成されると共に、基板の互いに対向する第２の組の各辺側からもそれぞれ１以上の指向性制御用のスリットが伸長形成されており、第１の組の各辺側にそれぞれ設けられた指向性制御用のスリットのスリット長のトータル値は、第２の組の各辺側にそれぞれ設けられた指向性制御用のスリットのスリット長のトータル値と異なることを特徴とする請求項１記載のアンテナ構造。
【請求項３】
放射電極を設けた誘電体基体が楕円形状の基板に配設されているアンテナ構造であって、放射電極は縮退分離する形態を備えて円偏波の電波の無線通信を行うものであり、楕円形状の基板の長径は、予め定められた無線通信用の周波数帯の電波の１波長以下である構成を備えており、楕円形状の基板には、指向性制御用のスリットを避けた基板のほぼ全面にグランド電極が形成されており、指向性制御用のスリットは、基板の端縁側から楕円形状の基板の長軸あるいは短軸に沿う方向に誘電体基体の配設領域に向けて伸長形成されているスリットと成していることを特徴とするアンテナ構造。
【請求項４】
指向性制御用のスリットは基板をスリット状に切り欠いて形成されていることを特徴とする請求項１又は請求項２又は請求項３記載のアンテナ構造。
【請求項５】
請求項１乃至請求項４の何れか１つに記載のアンテナ構造が設けられていることを特徴とする無線通信機。
【発明の詳細な説明】
【技術分野】
【０００１】
本発明は、円偏波を利用して無線通信を行うアンテナ構造およびそれを備えた無線通信機に関するものである。
【背景技術】
【０００２】
図９（ａ）にはアンテナ構造の一形態例が模式的な斜視図により示され、図９（ｂ）には図９（ａ）のアンテナ構造が上方側から見た模式的な平面図により示されている。このアンテナ構造１は、次に示すような誘電体基体２と放射電極３と実装基板４とグランド電極５を有して構成されている。すなわち、この例では、誘電体基体２は直方体状と成し、実装基板４上に搭載されている。この誘電体基体２の正方形状の上面に放射電極３が形成されている。放射電極３は正方形状と成し、この正方形状の放射電極３は、その一辺の長さが、無線通信に使用する周波数帯の波長λの約１／２の長さであり、また、互いに対角位置にある２つの角部が切り欠かれて縮退分離させる構成と成しており、放射電極３は円偏波の電波の無線通信を行うことができる構成となっている。誘電体基体２の底面には、ほぼ全面に接地電極（図示せず）が形成されており、この例に示される誘電体基体２と放射電極３と接地電極は円偏波マイクロストリップアンテナを構成している。
【０００３】
誘電体基体２の側面には、給電電極６が形成されている。この給電電極６の一端側は放射電極３と間隔を介して配置され放射電極３と容量を介して電磁結合するように形成されている。また、給電電極６の他端側は実装基板４に形成された給電用導体パターン７に接合され、当該給電用導体パターン７を介して例えば無線通信機に設けられている無線通信用の高周波回路８に接続される構成となっている。実装基板４は誘電体により構成された長方形状の基板であり、当該実装基板４の上面には、給電用導体パターン７の形成領域を避けたほぼ全面に、グランド電極５が設けられている。
【０００４】
このようなアンテナ構造１において、例えば、無線通信用の高周波回路８から給電用導体パターン７を介して給電電極６に送信用の信号が供給されると、その信号は、給電電極６と放射電極３間の容量を介した電磁結合によって放射電極３に伝達される。この信号供給によって放射電極３が励振し、これにより、円偏波の電波が放射されて信号が無線送信される。また、電波が放射電極３に到来し放射電極３が励振して信号を受信すると、この受信信号は、放射電極３と給電電極６間の電磁結合によって、放射電極３から給電電極６に伝達され、給電電極６と給電用導体パターン７を介して無線通信用の高周波回路８に供給される。
【０００５】
【特許文献１】特開２０００−１８３６３７号公報
【特許文献２】特開２００４−１３４８６０号公報
【特許文献３】特開２００１−２７４７１９号公報
【発明の開示】
【発明が解決しようとする課題】
【０００６】
放射電極３から放射される電波は実装基板４のグランド電極５の影響を受ける。特に、グランド電極５の何れの一辺の長さも無線通信用の周波数帯の１波長以下である場合には、グランド電極５が電波に与える影響は大きい。例えば、図９に示されるアンテナ構造１では、グランド電極５は長方形状であり、この形状に起因して、例えば、短辺に沿うＹ−Ｚ平面における放射電極３の指向性（短辺側の指向性）は、アンテナ利得特性を表す図９（ｃ）のグラフの実線Ａに示されるようになり、また、長辺に沿うＸ−Ｚ平面における放射電極３の指向性（長辺側の指向性）は、アンテナ利得特性を表す図９（ｄ）のグラフの実線Ｂに示されるようになり、短辺側の指向性と長辺側の指向性とに違いが見られる。例えば、図９（ｃ）、（ｄ）において良好な無線通信の目安となるアンテナ利得がαである部分に注目すると、短辺側の指向性はθ0の角度範囲となり、長辺側の指向性はθ1の角度範囲となっており、短辺側の指向性は長辺側の指向性よりも広角となっている。
【０００７】
ところで、アンテナ指向性が広角になるにつれて横方向からのノイズの悪影響を受け易くなるという問題が生じる。このため、短辺側の指向性が広角であると、例えば、ＥＴＣ（Electronic-Toll-Collection（自動料金収受システム））のような、横方向の指向性を規格により規制しているシステムにおいて、不適切となる場合がある。そこで、そのような短辺側の指向性の広角化を抑制するために、グランド電極５の形状を正方形状に変更する等の手段が考えられるが、グランド電極５の形状、つまり、実装基板４の形状に対する設計の自由度は非常に低くて実装基板４の形状を変更することは殆どできない。
【０００８】
本発明は上記課題を解決するために成されたものであり、その目的は、簡単な構成でもって、グランド電極の形状によらずに放射電極の指向性を調整することができるアンテナ構造およびそれを備えた無線通信機を提供することにある。
【課題を解決するための手段】
【０００９】
上記目的を達成するために、この発明は次に示す構成をもって前記課題を解決するための手段としている。すなわち、この発明のアンテナ構造は、放射電極を設けた誘電体基体が矩形状の基板に配設されているアンテナ構造であって、放射電極は縮退分離する形態を備えて円偏波の電波の無線通信を行うものであり、矩形状の基板の何れの一辺の長さも、予め定められた無線通信用の周波数帯の電波の１波長以下である構成を備えており、矩形状の基板には、指向性制御用のスリットを避けた基板のほぼ全面にグランド電極が形成されており、指向性制御用のスリットは、基板の互いに対向する一組のそれぞれの辺側から誘電体基体の配設領域に向けて伸長形成されているスリットと成していることを特徴としている。
【００１０】
また、この発明のアンテナ構造は、放射電極を設けた誘電体基体が楕円形状の基板に配設されているアンテナ構造であって、放射電極は縮退分離する形態を備えて円偏波の電波の無線通信を行うものであり、楕円形状の基板の長径は、予め定められた無線通信用の周波数帯の電波の１波長以下である構成を備えており、楕円形状の基板には、指向性制御用のスリットを避けた基板のほぼ全面にグランド電極が形成されており、指向性制御用のスリットは、基板の端縁側から楕円形状の基板の長軸あるいは短軸に沿う方向に誘電体基体の配設領域に向けて伸長形成されているスリットと成していることをも特徴としている。さらに、この発明の無線通信機は、この発明において特有な構成を持つアンテナ構造が設けられていることを特徴としている。
【発明の効果】
【００１１】
この発明によれば、グランド電極には、指向性制御用のスリットが、基板の端縁側から誘電体基体の配設領域に向けて伸長形成されている構成とした。指向性制御用のスリットをグランド電極の端縁側に設けることによって、その指向性制御用のスリットが設けられているグランド電極端縁部分を通電するグランド電流は、スリットを迂回しながら流れることとなる。このため、指向性制御用のスリットが設けられているグランド電極端縁部分におけるグランド電流の電流経路長は、指向性制御用のスリットが設けられていない場合に比べて、長くなる。これにより、指向性制御用のスリットが設けられているグランド電極端縁部分において電気的な長さ（電気長）が長くなって、そのグランド電極端縁部分のサイズを電気的に見かけ上、大きくすることができる。
【００１２】
一般的に、グランド電極の大きさが小さくなるに従って、電波のグランド電極側への回り込みが発生し易くなり、これにより、指向性は広角化する。これに対して、上記のようにスリットを形成してグランド電極の大きさを電気的に見かけ上大きくすることによって、電波のグランド電極側への回り込みが抑制され、指向性の広角化を抑えることができる。
【００１３】
例えば、グランド電極（基板）が長方形状である場合には、グランド電極（基板）の短辺側の指向性は長辺側の指向性よりも広角化し易い。その短辺側の指向性の広角化の抑制が要求された場合には、グランド電極の互いに対向する各短辺側にそれぞれ指向性制御用のスリットを形成する。これにより、上記のようにグランド電極の短辺側の指向性の広角化を抑制することができる。このように、グランド電極に設ける指向性制御用のスリットの形成位置やスリット形成数やスリット長（スリット深さ）を調整することにより、グランド電極が矩形状（長方形状や正方形状）であっても楕円形状であっても、グランド電極の形状によらずに指向性の狭角化（広角化）を制御することができる。
【００１４】
グランド電極には、矩形状の基板の互いに対向する第１の組の各辺側からそれぞれ１以上の指向性制御用のスリットが伸長形成されているだけでなく、基板の互いに対向する第２の組の各辺側からもそれぞれ１以上の指向性制御用のスリットが伸長形成されている構成を備えている場合には、指向性制御用のスリットが設けられていない場合に比べて、グランド電極（基板）の第１の組の辺側の指向性および第２の組の辺側の指向性を絞ることができる。また、第１の組と第２の組のうちの一方側の組の各辺側にそれぞれ設けられている指向性制御用のスリットのスリット長のトータル値が、他方側の組の各辺側にそれぞれ設けられている指向性制御用のスリットのスリット長のトータル値よりも大きい場合には、そのトータル値の大きい方の組の辺側の指向性を別の組の辺側の指向性よりも大きく絞ることができる。
【００１５】
さらに、指向性制御用のスリットが基板をスリット状に切り欠いて形成されている構成にあっては、グランド電極だけでなく基板にもスリットが形成されているので、グランド電極のみにスリットが形成され基板にはスリットが形成されていない場合よりも、指向性制御用のスリットによる指向性の広角化抑制の効果が大きくなる。つまり、グランド電極にスリットを設けた場合、そのスリットの両側の側縁部のうちの一方側のスリット側縁部のグランド電極部分に通電するグランド電流の向きと、他方側のスリット側縁部のグランド電極部分に通電するグランド電流の向きとは、互いに逆向きとなる。このようなスリット両側のグランド電流が電磁気的に結合すると、スリット両側のグランド電流の一部がその結合の大きさに応じて互いに打ち消し合うような状態となって、スリットを設けたことによる電気長延長効果が抑えられる。スリット両側のグランド電流の結合の大きさは、スリット両側の側縁部間の容量値が大きく関与しており、当該容量値が大きくなる程、スリット両側のグランド電流の結合は強くなり、スリットによる電気長延長効果は小さくなる。
【００１６】
一般的に、基板を構成する誘電体の比誘電率は１よりも大きいために、スリット部分に基板が有る場合には、スリット部分に基板が無い場合よりも、スリットの両側縁部間の容量は大きくなる。換言すれば、スリット部分に基板が無い場合には、スリット部分に基板が有る場合よりも、スリットの両側縁部間の容量は小さくなる。このため、基板を切り欠いてスリットを形成することにより、スリット両側のグランド電流の結合が弱くなり、スリットによる電気長の延長効果を大きく得ることができる。すなわち、基板を切り欠いて指向性制御用のスリットを形成することにより、指向性制御用のスリットによる指向性の広角化抑制の効果を大きく得ることができる。
【００１７】
この発明において特有な構成を持つアンテナ構造が設けられている無線通信機にあっては、狭角な指向性を持つことが簡単となるので、ＥＴＣ等のように狭角な指向性が望まれる無線通信機を容易に提供することができるようになる。
【発明を実施するための最良の形態】
【００１８】
以下に、この発明に係る実施形態例を図面に基づいて説明する。なお、以下に述べる実施形態例の説明において、図９に示されるアンテナ構造と同一構成部分には同一符号を付し、その共通部分の重複説明は省略する。
【００１９】
図１（ａ）には第１実施形態例のアンテナ構造が模式的な斜視図により示され、図１（ｂ）には図１（ａ）のアンテナ構造が上方側から見た模式的な平面図により示されている。この第１実施形態例では、実装基板４は、誘電体により構成された長方形状の基板であり、当該実装基板４の長辺の長さＬは、予め定められた無線通信用の周波数帯の電波の１波長以下の長さとなっている。換言すれば、実装基板４の何れの一辺の長さも、予め定められた無線通信用の周波数帯の電波の１波長以下の長さとなっている。
【００２０】
この実装基板４の上面のほぼ全面にグランド電極５が形成されている。グランド電極５が図９（ａ）、（ｂ）に示すような長方形状であると、前述したように、放射電極３による短辺側の指向性（つまり、短辺に沿う方向を含むＹ−Ｚ平面における指向性）は、長辺側の指向性（つまり、長辺に沿う方向を含むＸ−Ｚ平面における指向性）よりも広角化し易い。この第１実施形態例では、その短辺側の指向性の広角化を抑制するための次に示すような特有な構成を備えている。
【００２１】
すなわち、この第１実施形態例では、実装基板４の上面における中央部に、放射電極３を備えた誘電体基体２が配設されており、実装基板４の上面上のグランド電極５には、実装基板４の互いに対向し合う各短辺側からそれぞれ誘電体基体２の配設領域に向けて指向性制御用のスリット１０が伸長形成されている。この第１実施形態例では、グランド電極５（実装基板４）の対向する各短辺５Ａ，５Ｂ側に、それぞれ、指向性制御用のスリット１０が３本ずつ形成されており、図１に示される左辺５Ａ側の３本の指向性制御用のスリット１０と、右辺５Ｂ側の３本の指向性制御用のスリット１０とは、実装基板４のＹ方向に沿う中心線に対して左右対称な位置に、それぞれ、配置形成されている。また、この第１実施形態例では、全ての指向性制御用のスリット１０は、実装基板４をスリット状に切り欠いて形成されたものである。さらに、全ての指向性制御用のスリット１０は、そのスリット幅およびスリット長が同じとなっている。
【００２２】
この第１実施形態例では、上記のように、グランド電極５には、短辺５Ａ，５Ｂ側に指向性制御用のスリット１０を設けたので、グランド電極５の短辺５Ａ，５Ｂを流れるグランド電流は、例えば図１（ｂ）の実線Ｉに示されるように、スリット１０を迂回して通電することとなる。このため、スリット１０が設けられていない場合に比べて、グランド電極５の短辺５Ａ，５Ｂにおけるグランド電流の電流経路長が長くなり、これにより、グランド電極５の短辺５Ａ，５Ｂ側の電気長が長くなる。このように、グランド電極５の短辺５Ａ，５Ｂ側の電気長が長くなると、電気的な見かけ上、グランド電極５の短辺５Ａ，５Ｂ側のサイズが大きくなるので、短辺側の指向性の広角化が抑制される。
【００２３】
図２（ａ）には第１実施形態例のアンテナ構造１におけるグランド電極短辺側の指向性をシミュレーションにより求めた結果が実線Ａにより示され、図２（ｂ）にはアンテナ構造１におけるグランド電極長辺側の指向性をシミュレーションにより求めた結果が実線Ｂにより示されている。グランド電極５の短辺５Ａ，５Ｂ側にスリット１０を設けない場合には、アンテナ利得αにおける短辺側の指向性は、図２（ａ）に示されるθ0の角度範囲であるのに対して（例えば図９（ｃ）のグラフ参照）、この第１実施形態例では、グランド電極５の短辺５Ａ，５Ｂ側にスリット１０を設けたので、グランド電極５の短辺５Ａ，５Ｂ側のサイズを電気的に見かけ上、大きくできて、アンテナ利得αにおける短辺側の指向性は、図２（ａ）に示されるθ0’の角度範囲となっており、スリット１０を設けない場合に比べて、広角化が抑制されていることがシミュレーションから分かる。また、図２（ａ）と図２（ｂ）の比較からも明らかなように、アンテナ利得αにおける指向性を、短辺側も長辺側もほぼ同様となるように制御できていることが分かる。
【００２４】
なお、この第１実施形態例では、グランド電極５の短辺５Ａ，５Ｂ側の指向性の広角化を抑制するために、短辺５Ａ，５Ｂ側に指向性制御用のスリット１０を設ける例を示したが、例えば、短辺５Ａ，５Ｂ側の指向性の広角化はそのままでよいが、長辺５Ｃ，５Ｄ側の指向性の狭角化をより一層進めたいという要望が出されることがある。この場合には、短辺５Ａ，５Ｂ側に指向性制御用のスリット１０を設けるのではなく、長辺５Ｃ，５Ｄ側に、誘電体基体２の配設領域に向けて伸長形成された指向性制御用のスリットを設ける。
【００２５】
以下に、第２実施形態例を説明する。この第２実施形態例の説明において、第１実施形態例と同一構成部分には同一符号を付し、その共通部分の重複説明は省略する。
【００２６】
この第２実施形態例では、実装基板４の短辺側の指向性の広角化を抑制すると共に、実装基板４の長辺側の指向性をより狭角化したいという要望に応えることができる構成を備えている。つまり、この第２実施形態例では、図３の模式的な平面図に示されるように、グランド電極５には、第１実施形態例と同様に対向する各短辺５Ａ，５Ｂ側にそれぞれ指向性制御用のスリット１０が形成されているのに加えて、対向する各長辺５Ｃ，５Ｄ側にもそれぞれ指向性制御用のスリット１１が形成されている。この第２実施形態例では、指向性制御用のスリット１１は、グランド電極５の対向する各長辺５Ｃ，５Ｄ側にそれぞれ２本ずつ、実装基板４をスリット状に切り欠いて形成されている。また、全ての指向性制御用のスリット１１は、そのスリット長およびスリット幅が等しくなっている。さらに、全ての指向性制御用のスリット１１のスリット長のトータル値は、全ての指向性制御用のスリット１０のスリット長のトータル値よりも小さくなっている。この第２実施形態例では、指向性制御用のスリット１１に関わる構成以外の構成は第１実施形態例と同様である。
【００２７】
この第２実施形態例では、グランド電極５の短辺５Ａ，５Ｂ側に指向性制御用のスリット１０を設けることにより、第１実施形態例と同様に、短辺５Ａ，５Ｂ側の指向性の広角化を抑制することができる。また、グランド電極５の長辺５Ｃ，５Ｄ側に指向性制御用のスリット１１を設けることにより、グランド電極５の長辺５Ｃ，５Ｄを通電するグランド電流の経路長が長くなってグランド電極５の長辺５Ｃ，５Ｄの電気長を長くすることができる。これにより、グランド電極５の長辺５Ｃ，５Ｄ側のサイズが電気的な見かけ上、大きくなって長辺５Ｃ，５Ｄ側の指向性の狭角化を促進させることができる。
【００２８】
また、この第２実施形態例では、グランド電極５の短辺５Ａ，５Ｂ側（第１の組の各辺側）にそれぞれ形成されている指向性制御用のスリット１０のスリット長のトータル値は、長辺５Ｃ，５Ｄ側（第２の組の各辺側）にそれぞれ形成されている指向性制御用のスリット１１のスリット長のトータル値よりも大きい。このため、指向性制御用のスリット１１の形成によって長辺側の指向性の狭角化を促進させることができるという効果を得ることができるのはもちろんであるが、この効果よりも、指向性制御用のスリット１０による短辺側の指向性の広角化抑制の効果の方が強く出ることになる。
【００２９】
なお、この第２実施形態例では、指向性制御用のスリット１０による短辺側の指向性の広角化抑制の効果を強く出すために、全ての指向性制御用のスリット１０のスリット長のトータル値は、全ての長辺側の指向性制御用のスリット１１のスリット長のトータル値よりも大きくなっていたが、例えば、指向性制御用のスリット１１による長辺側の指向性の狭角化促進の効果を強く出したい場合には、全ての長辺側の指向性制御用のスリット１１のスリット長のトータル値を、全ての短辺側の指向性制御用のスリット１０のスリット長のトータル値よりも大きくする。
【００３０】
以下に、第３実施形態例を説明する。なお、この第３実施形態例の説明において、第１や第２の各実施形態例と同一構成部分には同一符号を付し、その共通部分の重複説明は省略する。
【００３１】
この第３実施形態例では、図４の模式的な平面図に示されるように、実装基板４は正方形状と成し、この正方形状の実装基板４の上面のほぼ全面にグランド電極５が形成されている。グランド電極５が正方形状である場合には、図４に示されるグランド電極５の対向する第１の組の辺５Ａ，５Ｂ側の指向性と、グランド電極５の対向する第２の組の辺５Ｃ，５Ｄ側の指向性とは、ほぼ同様となる。これに対して、実装基板４を正方形状のまま、グランド電極５の辺５Ａ，５Ｂ側の指向性を辺５Ｃ，５Ｄ側の指向性よりも狭角化したいと要望されることがある。
【００３２】
この第３実施形態例では、そのような要望に応えるための構成を備えているものである。つまり、この第３実施形態例では、グランド電極５における指向性の狭角化が望まれている側の辺５Ａ，５Ｂには、それぞれ、指向性制御用のスリット１０が形成されている。このスリット１０は、実装基板４を切り欠いて形成されたものであり、当該スリット１０によって、グランド電極５の辺５Ａ，５Ｂ側の指向性の狭角化を進めることができる。
【００３３】
なお、この第３実施形態例では、グランド電極５の対向する一組の辺５Ａ，５Ｂ側に、それぞれ、指向性制御用のスリット１０を設ける例を示したが、例えば、グランド電極５の対向する第１の組の辺５Ａ，５Ｂ側の指向性だけでなく、グランド電極５の対向する第２の組の辺５Ｃ，５Ｄ側の指向性の狭角化も望まれている場合には、グランド電極５の辺５Ａ，５Ｂ側に指向性制御用のスリット１０を設けるだけでなく、グランド電極５の辺５Ｃ，５Ｄ側にも指向性制御用のスリットを設ける。辺５Ａ，５Ｂ側の指向性の狭角化の度合いと、辺５Ｃ，５Ｄ側の指向性の狭角化の度合いとをほぼ同様にしたい場合には、辺５Ａ，５Ｂ側に設ける指向性制御用のスリットの形成数やスリット長などのスリット形成条件を、辺５Ｃ，５Ｄ側に設ける指向性制御用のスリットと同様にする。
【００３４】
また、グランド電極５の辺５Ａ，５Ｂ側の指向性を、辺５Ｃ，５Ｄ側の指向性よりも、より狭角化させたい場合には、例えば図５の平面図に示されるように、辺５Ａ，５Ｂ側の全ての指向性制御用のスリット１０のスリット長のトータル値が、辺５Ｃ，５Ｄ側の全ての指向性制御用のスリット１１のスリット長のトータル値よりも大きくなるように、指向性制御用のスリット１０，１１の形成数やスリット長やスリット幅を設定する。
【００３５】
さらにまた、グランド電極５の辺５Ｃ，５Ｄ側の指向性を、辺５Ａ，５Ｂ側の指向性よりも、より狭角化させたい場合には、辺５Ｃ，５Ｄ側の全ての指向性制御用のスリット１１のスリット長のトータル値が、辺５Ａ，５Ｂ側の全ての指向性制御用のスリット１０のスリット長のトータル値よりも大きくなるように、指向性制御用のスリット１０，１１の形成数やスリット長やスリット幅を設定する。
【００３６】
以下に、第４実施形態例を説明する。この第４実施形態例は無線通信機に関するものである。第４実施形態例の無線通信機は、第１〜第３の各実施形態例に示したアンテナ構造１のうちの何れか１つのアンテナ構造１が設けられていることを特徴としている。アンテナに関わる構成以外の無線通信機の構成には様々な構成があり、ここでは、何れの構成をも採用してよく、その説明は省略する。また、アンテナ構造１の構成は、第１〜第３の各実施形態例で説明したので、その重複説明は省略する。
【００３７】
なお、この発明は第１〜第４の各実施形態例の形態に限定されるものではなく、様々な実施の形態を採り得る。例えば、第１〜第４の各実施形態例では、指向性制御用のスリット１０，１１は、実装基板４をスリット状に切り欠いて形成されていたが、例えば、製造手法等によっては、図７（ａ）の斜視図および図７（ｂ）の平面図に示されるように、グランド電極５のみにスリット１０が形成され実装基板４にはスリットが形成されていない構成としてもよい。
【００３８】
また、第１〜第４の各実施形態例では、グランド電極５の左辺５Ａ側と右辺５Ｂ側には、それぞれ、指向性制御用のスリット１０が左右対称に配置形成されていたが、例えば、図６（ａ）に示されるようにグランド電極５の左辺５Ａ側の指向性制御用のスリット１０と、右辺５Ｂ側の指向性制御用のスリット１０とを左右非対称に配置してもよい。
【００３９】
また、第１〜第４の各実施形態例では、グランド電極５の左辺５Ａ側の指向性制御用のスリット１０の形成数と、右辺５Ｂ側の指向性制御用のスリット１０の形成数とは同数であったが、例えば、右辺５Ｂ側の指向性を左辺５Ａ側の指向性よりも狭角化したい場合には、図６（ｂ）に示されるように、右辺５Ｂ側の指向性制御用のスリット１０の形成数を左辺５Ａ側の指向性制御用のスリット１０の形成数よりも多くしたり、右辺５Ｂ側の指向性制御用のスリット１０のスリット長を左辺５Ａ側の指向性制御用のスリット１０のスリット長よりも長くして、右辺５Ｂ側の指向性制御用のスリット１０のスリット長のトータル値を左辺５Ａ側の指向性制御用のスリット１０のスリット長のトータル値よりも大きくする。また反対に、左辺５Ａ側の指向性を右辺５Ｂ側の指向性よりも狭角化したい場合には、指向性制御用のスリット１０の形成数やスリット長を調整して、左辺５Ａ側の指向性制御用のスリット１０のスリット長のトータル値を右辺５Ｂ側の指向性制御用のスリット１０のスリット長のトータル値よりも大きくする。
【００４０】
上辺５Ｃ側の指向性と下辺５Ｄ側の指向性に関しても、上記同様に、指向性制御用のスリット１１の形成数やスリット長を調整して、制御することができる。
【００４１】
さらに、実装基板４の形状は、図１や図３〜図７に示される形状に限定されるものではなく、例えば、実装基板４は、角部に丸みがつけられた矩形状であってもよいし、また、角部が平面でカットされ面取りされたような形状であってもよい。
【００４２】
さらに実装基板４は、図８に示されるような楕円形状であってもよい。この場合にも、第１〜第３の各実施形態例と同様に、実装基板４の端縁から誘電体基体２の配設領域に向かって伸長形成される指向性制御用のスリットを設けることによって、放射電極３による指向性の広角化を制御することができる。例えば、図８に示されるように、実装基板４の端縁から楕円形状の長軸に沿う方向に誘電体基体２の配設領域に向かって指向性制御用のスリット１０を伸長形成した場合には、楕円形状の短軸方向を含むＹ−Ｚ平面における指向性の広角化を抑制することができる。また、実装基板４の端縁から楕円形状の短軸に沿う方向に誘電体基体２の配設領域に向かって指向性制御用のスリットを伸長形成した場合には、楕円形状の長軸方向を含むＸ−Ｚ平面における指向性の狭角化を促進させることができる。
【００４３】
さらに、第１〜第４の各実施形態例では、放射電極３は正方形状であったが、放射電極３は縮退分離して円偏波の無線通信を行うことができる形態であればよく、正方形状に限定されるものではない。さらに、誘電体基体２は直方体状であったが、例えば、誘電体２は円柱状等の他の形状であってもよい。さらに、第１〜第４の各実施形態例では、誘電体基体２と放射電極３と接地電極から成る円偏波マイクロストリップアンテナは１点容量給電方式のものであったが、円偏波マイクロストリップアンテナは２点容量給電方式のものであってもよいし、また、円偏波マイクロストリップアンテナは給電ピンを利用して直接的に給電される直接給電方式のものであってもよい。さらに、第１〜第４の各実施形態例では、誘電体基体２は実装基板４の中央部に配設されていたが、誘電体基体２は実装基板４の他の部分に配設されていてもよい。実装基板４の何れの一辺の長さも、無線通信用の周波数帯の１波長以下の長さであることから、誘電体基体２が実装基板４の何れの場所に配設されていても、指向性制御用のスリットを設けることによって、第１〜第４の各実施形態例に述べた効果を得ることができる。
【図面の簡単な説明】
【００４４】
【図１】第１実施形態例のアンテナ構造を説明するための図である。
【図２】第１実施形態例のアンテナ構造の構成から得られる効果を説明するためのグラフである。
【図３】第２実施形態例のアンテナ構造を説明するための図である。
【図４】第３実施形態例のアンテナ構造を説明するための図である。
【図５】第３実施形態例のアンテナ構造の変形例を表した図である。
【図６】その他の実施形態例を説明するためのモデル図である。
【図７】さらに別のその他の実施形態例を説明するためのモデル図である。
【図８】さらにまた別のその他の実施形態例を説明するためのモデル図である。
【図９】アンテナ構造の一形態例を説明するための図である。
【符号の説明】
【００４５】
１  アンテナ構造
２  誘電体基体
３  放射電極
４  実装基板
５  グランド電極
８  無線通信用の高周波回路
１０，１１，１２  指向性制御用のスリット
【図１】
2006148688.tif 000003
【図２】
2006148688.tif 000004
【図３】
2006148688.tif 000005
【図４】
2006148688.tif 000006
【図５】
2006148688.tif 000007
【図６】
2006148688.tif 000008
【図７】
2006148688.tif 000009
【図８】
2006148688.tif 000010
【図９】
2006148688.tif 000011